(57)【特許請求の範囲】
【請求項１】
略同じ長さの主軸と回転螺旋軸とを平行に位置させてこれらの両端を支持片で支持し、前記回転螺旋軸は前記支持片に対して回転自在とし、
当該回転螺旋軸の中央部に、外周に螺旋のない把手部を設け、当該回転螺旋軸の前記把手部を除く外周には螺旋状凹凸が形成され、当該螺旋状凹凸は前記把手部を境に左右両側で逆方向の螺旋を形成し、
前記主軸と回転螺旋軸にまたがった移動駒を両側にそれぞれ設け、各移動駒は前記主軸に係止され、かつ自体の螺旋孔に前記回転螺旋軸を螺合して通し、
前記回転螺旋軸の回転により、各移動駒は当該回転螺旋軸及び主軸に沿って相互に接近又は離れるように移動し、
前記各移動駒の一端部で電線把持体を支持したことを特徴とする、電線切断・接続補助工具。
【請求項２】
前記各移動駒の一端部に接続した支持片の先端部を二股にし、当該二股の先端に夫々電線把持体を設けたことを特徴とする、請求項１に記載の電線切断・接続補助工具。
【請求項３】
略同じ長さの主軸と、当該主軸を挟んで２本の回転螺旋軸とを平行に位置させてこれらの両端を支持片で支持し、前記各回転螺旋軸は前記支持片に対して回転自在とし、
当該２本の各回転螺旋軸の略中央部から相互に反対方向にずれた位置に、外周に螺旋のない把手部を設け、また当該各回転螺旋軸の前記把手部を除く外周には螺旋状凹凸が夫々形成され、当該螺旋状凹凸は前記把手部を境に左右両側で逆方向の螺旋を形成し、
前記主軸と前記２本のうちの片方の回転螺旋軸に夫々またがった移動駒を各回転螺旋軸の両側に夫々設け、各移動駒は他端部が前記主軸に係止され、中央部の螺旋孔に前記各回転螺旋軸を螺合して通し、
前記各回転螺旋軸の回転により、各移動駒は当該各回転螺旋軸及び主軸に沿って相互に接近又は離れるように移動し、
各移動駒の一端部で電線把持体を支持したことを特徴とする、電線・接続補助工具。
【請求項４】
回転螺旋軸の両端を支持片で回転自在に支持し、前記回転螺旋軸は略中央部に大径の把手部が設けられ、当該回転螺旋軸の前記把手部を除く外周には螺旋状凹凸が夫々形成され、
当該螺旋状凹凸は前記把手部を境に左右両側で逆方向の螺旋を形成し、当該回転螺旋軸の左右両側の各螺旋状凹凸は、前記両側の支持片に各一端を支持された筒状体によって夫々被われ、
各筒状体の一側には長孔が設けられ、前記回転螺旋軸の各螺旋状凹凸に他端を螺合させ、その一端を前記長孔を通して筒状体の外方に突出させた移動駒を、前記回転螺旋軸の把手部を挟んだ両側に夫々設け、
前記回転螺旋軸の回転により、各移動駒は当該回転螺旋軸に沿って相互に接近又は離れるように移動し、
前記筒状体の外側の前記各移動駒の一端部で電線把持体を支持したことを特徴とする、電線・接続補助工具。
【請求項５】
前記電線把持体は、電線を入れる溝と、当該溝に対向する押圧片とから成り、当該押圧片はボルトの回転により前記溝に向けて押圧自在な構成としたことを特徴とする、請求項１〜４のいずれかに記載の電線切断・接続補助工具。
【請求項６】
前記各移動駒の一端部での電線把持体の支持は角度調整手段を具備し、当該角度調整手段は前記電線把持体の支持片と前記移動駒の一端部とを、前記回転螺旋軸と２個の前記移動駒とで構成される面で回転、固定自在に接続したことを特徴とする、請求項１〜５のいずれかに記載の電線切断・接続補助工具。
【請求項７】
前記角度調整手段が、前記各移動駒の一端部と前記電線把持体の各支持片との間に継手が介在し、当該各継手と前記各移動駒の一端部とは、２個の前記各移動駒と回転螺旋軸とで構成される面で回転、固定自在に接続され、前記継手と前記電線把持体とは、前記面に対して直交する面で回転、固定自在に接続された構成であることを特徴とする、請求項６に記載の電線切断・接続補助工具。
【請求項８】
前記各移動駒は、主軸に対してボルトの締め付けにより固定自在であることを特徴とする、請求項１〜３のいずれかに記載の電線切断・接続補助工具。
【請求項９】
通電状態の電線の切断の際、切断端の電線が跳ねないように、切断する電線の両側を、請求項１〜８に記載の電線切断・接続補助工具の相対向する２つの電線把持体で把持した状態で切断し、切断後は、前記２つの電線把持体を有する各移動駒を引き離して電線切断部を絶縁処理して工事作業を行い、作業後は前記移動駒を戻して、電線の芯線を接続することを特徴とする、荷電状態の電線切断・接続方法。
【発明の詳細な説明】
【技術分野】
【０００１】
この発明は、変圧器の２次側の配線、引き込み線、ジャンパー線等の電線の切断、接続作業において使用する補助工具に関するものである。
【背景技術】
【０００２】
従来、柱上変圧器の２次側は口出し線が導出しており、立ち上がりケーブルとは低圧開閉器で接続されていた。従って、前記変圧器の機能を停止する作業の際は、ループ切替の活線作業となるが、ループ状態となったときに変圧器の２次側の低圧開閉器を切って前記作業を行っていた。この時、高圧側からの回り込みもあるため開路した両側が充電状態である。
【０００３】
しかしながら、配電設備のコストダウンを図るため、現在では前記口出し線と立ち上がりケーブルとの接続を、前記低圧開閉器に替えて、羽子板端子やスリーブで接続していることが多い。
【０００４】
このような箇所において、前記変圧器等の架空配電線工事を行う場合、変圧器の２次側の電路を一旦遮断し、工事作業の終了後に再び当該電路を接続する作業を強いられている。
【０００５】
このような柱上作業においては、電線の切断時は作業者一人の場合であると、一方の手で電線を把持し、他方の手でカッターを把持して、カッターの柄の一方を作業者の体で押すことにより切断していたが、切断した電線の片方しか把持できず、他方は把持できない状態である。このため、充電部である他方の電線は切断時に跳ねて作業者に接触したり、スリーブ等が落下したり、装柱金具に接触し、地絡、感電する可能性があり、充分な安全性を確保することができなかった。
【０００６】
また、切断した電線相互をＣ型スリーブで再び接続するときも、芯線が露出した２本の電線を接続位置に持ちながら圧縮工具を使用するため、他相や接地体との接触の恐れがあるが、接続位置で保持することも困難であった。
【０００７】
また、作業者の員数を増やすと、柱上での作業のためスペースがなく、かえって作業効率が悪くなるおそれがあり、さらに、作業員の員数の増加は作業コストのアップにもつながる。
【０００８】
そこで、前述のような作業において、作業者の員数を増やさず、安全で作業効率の良い補助工具が開発された。特許文献１のものは、絶縁体から成る主軸と、主軸の両端に設けられた絶縁体から成る２つのクランプとを備え、前記２つのクランプは、いずれも２軸ヒンジによって前記主軸に接続された電線把持具である。
【０００９】
この電線把持具は、切断する電線の両側を、それぞれの方向に合わせて各クランプの角度を変えて電線を把持し、この状態で電線を切断するため、作業者は手があき、両手でカッターを操作できるので切断作業が容易となる。また電線の切断端がむやみに跳ねたり、スリーブ等が落下したりせず、安全、確実に切断作業ができる。
【００１０】
【特許文献１】特開２００８−１６７５９１号公報
【発明の開示】
【発明が解決しようとする課題】
【００１１】
しかしながら、前記特許文献１のものは、作業者が切断する電線の両側を把持して、スリーブの両端を切断したり、羽子板端子の場合はボルトを緩めて外すことはできるが、切断又は接続の解除をした箇所の電線を再びスリーブや羽子板端子で接続する場合は両者を引き寄せなければならない。特にスリーブの場合は、スリーブの両端の電線を切断するため、電線が切断の前より短くなり、接続の際は強固に電線端を引っ張らなければならない。前記特許文献１のものには、この様に把持した電線端部を近接させる等の機能はない。
【００１２】
そこで、この発明は、前記スリーブや端子での接続箇所の電線の切断又は接続の解除しようとする電線を把持し、これらの切断電線端を引き離して安全な離隔を保持すると共に再びこれらの電線を接続する場合に、容易に２つの電線端を近接させて接続できる等、スリーブによる接続や端子による接続の場合等の種々のケースに容易且つ確実に対応できる補助工具を提供することを目的としたものである。
【課題を解決するための手段】
【００１３】
請求項１の発明は、略同じ長さの主軸と回転螺旋軸とを平行に位置させてこれらの両端を支持片で支持し、前記回転螺旋軸は前記支持片に対して回転自在とし、当該回転螺旋軸の中央部に、外周に螺旋のない把手部を設け、当該回転螺旋軸の前記把手部を除く外周には螺旋状凹凸が形成され、当該螺旋状凹凸は前記把手部を境に左右両側で逆方向の螺旋を形成し、前記主軸と回転螺旋軸にまたがった移動駒を両側にそれぞれ設け、各移動駒は前記主軸に係止され、かつ自体の螺旋孔に前記回転螺旋軸を螺合して通し、前記回転螺旋軸の回転により、各移動駒は当該回転螺旋軸及び主軸に沿って相互に接近又は離れるように移動し、前記各移動駒の一端部で電線把持体を支持した、電線切断・接続補助工具とした。
【００１４】
また、請求項２の発明は、請求項１の発明において、前記各移動駒の一端部に接続した支持片の先端部を二股にし、当該二股の先端に夫々電線把持体を設けた、電線切断・接続補助工具とした。
【００１５】
また、請求項３の発明は、略同じ長さの主軸と、当該主軸を挟んで２本の回転螺旋軸とを平行に位置させてこれらの両端を支持片で支持し、前記各回転螺旋軸は前記支持片に対して回転自在とし、当該２本の各回転螺旋軸の略中央部から相互に反対方向にずれた位置に、外周に螺旋のない把手部を設け、また当該各回転螺旋軸の前記各把手部を除く外周には螺旋状凹凸が夫々形成され、当該螺旋状凹凸は前記把手部を境に左右両側で逆方向の螺旋を形成し、前記主軸と前記２本のうちの片方の回転螺旋軸に夫々またがった移動駒を各回転螺旋軸の両側に夫々設け、各移動駒は他端部が前記主軸に係止され、中央部の螺旋孔に前記各回転螺旋軸を螺合して通し、前記各回転螺旋軸の回転により、各移動駒は当該各回転螺旋軸及び主軸に沿って相互に接近又は離れるように移動し、各移動駒の一端部で電線把持体を支持した、電線・接続補助工具とした。
【００１６】
また、請求項４の発明は、回転螺旋軸の両端を支持片で回転自在に支持し、前記回転螺旋軸は略中央部に大径の把手部が設けられ、当該回転螺旋軸の前記把手部を除く外周には螺旋状凹凸が夫々形成され、当該螺旋状凹凸は前記把手部を境に左右両側で逆方向の螺旋を形成し、当該回転螺旋軸の左右両側の各螺旋状凹凸は、前記両側の支持片に各一端を支持された筒状体によって夫々被われ、各筒状体の一側には長孔が設けられ、前記回転螺旋軸の各螺旋状凹凸に他端を螺合させ、その一端を前記長孔を通して筒状体の外方に突出させた移動駒を、前記回転螺旋軸の把手部を挟んだ両側に夫々設け、前記回転螺旋軸の回転により、各移動駒は当該回転螺旋軸に沿って相互に接近又は離れるように移動し、前記筒状体の外側の前記各移動駒の一端部で電線把持体を支持した、電線・接続補助工具とした。
【００１７】
また、請求項５の発明は、請求項１〜４の発明において、前記電線把持体は、電線を入れる溝と、当該溝に対向する押圧片とから成り、当該押圧片はボルトの回転により前記溝に向けて押圧自在な構成とした、電線切断・接続補助工具とした。
【００１８】
また、請求項６の発明は、請求項１〜５の発明において、前記各移動駒の一端部での電線把持体の支持は角度調整手段を具備し、当該角度調整手段は前記電線把持体の支持片と前記移動駒の一端部とを、前記回転螺旋軸と２個の前記移動駒とで構成される面で回転、固定自在に接続した、電線切断・接続補助工具とした。
【００１９】
また、請求項７の発明は、請求項６の発明において、前記角度調整手段が、前記各移動駒の一端部と前記電線把持体の各支持片との間に継手が介在し、当該各継手と前記各移動駒の一端部とは、２個の前記各移動駒と回転螺旋軸とで構成される面で回転、固定自在に接続され、前記継手と前記電線把持体とは、前記面に対して直交する面で回転、固定自在に接続された構成である、電線切断・接続補助工具とした。
【００２０】
また、請求項８の発明は、請求項１〜３のいずれかの発明において、前記各移動駒は、主軸に対してボルトの締め付けにより固定自在である、電線切断・接続補助工具とした。
【００２１】
また、請求項９の発明は、通電状態の電線の切断の際、切断端の電線が跳ねないように、切断する電線の両側を、請求項１〜８に記載の電線切断・接続補助工具の相対向する２つの電線把持体で把持した状態で切断し、切断後は、前記２つの電線把持体を有する各移動駒を引き離して電線切断部を絶縁処理して工事作業を行い、作業後は前記移動駒を戻して、電線の芯線を接続する、荷電状態の電線切断・接続方法とした。
【発明の効果】
【００２２】
請求項１の発明では、当該補助工具の２つの電線把持体で電線の両側を把持し、２つの電線把持体の間の電線を切断することができるが、その際切断端の電線が当該補助工具に把持されているため、電線が跳ねたり、落下したりすることがない。しかも、当該補助工具は合成樹脂等の絶縁材で製造できるため、軽量となり、切断する電線に支持できる。また、電線は切断する前も後も当該補助工具で支持されているため、作業者は両手でカッターを安全に操作することができる。
【００２３】
また、切断後に、作業者は、当該補助工具の主軸を一方の手で持って、他方の手で把手部を回すことにより各移動駒が回転螺旋軸及び主軸に沿って動き、これにより両側の電線の切断端を離すことが出来る。その際、各移動駒は主軸に一端が係止されているため、供回りせず、回転螺旋軸の回転によって回転螺旋軸及び主軸上を移動する。この様に主軸は、回転螺旋軸を回す際、当該補助工具が把手部４と一緒に回らないように作業者が手で固定できるための持ち手として役立つ。また、この状態を保持することが出来る。この場合、各移動駒は回転螺旋軸に螺着されているため、各移動駒に荷重がかかってもむやみに動かない。
【００２４】
さらに、切断した電線を再び接続する場合は、作業者は前記把手部をもって螺旋軸を反対に回転させると、２つの移動駒は相互に近接し、２つの電線端を重ねてその上からＣ型スリーブで圧縮し、電線を接続することが出来る。また、電線が端子接続されている場合であっても、端子接続を解除する際、両側の電線を把持して端子を切り離すことができ、また、切り離した電線端をさらに引き離すこともでき、さらに再びこれらの端部を容易に引き戻すこともできる。
【００２５】
この様に、この発明の補助工具を用いれば、電線を切断する際は当該補助工具の各電線把持体で切断する箇所を挟んで両側の電線を把持した状態で切断でき、また切断した各切断端を引き離した状態に保持でき、電線の接続の際は、容易に把持した電線端を引き寄せることが出来る。従って、作業者はこれらの作業を一人で安全かつ容易に、また確実にすることが出来る。さらに、この発明の補助工具を用いての作業は、電線がスリーブで接続されている場合や端子で接続されている場合を問わず、容易に行えることが出来る。
【００２６】
また、当該補助工具はその長さを５０センチ以下にすることが出来、また、上述のように軽量にすることが出来るため、電線の切断、接続作業が柱上の場合、通い袋に入れて柱上に送ることができる。
【００２７】
また、請求項２の発明によれば、同時に２本の電線を把持することができ、上述の変圧器の２次側の口出し線と立ち上がり線との接続箇所の切断又は切り離し、作業後の再接続の場合等に２本同時に処理することが出来、作業効率が上がる。
【００２８】
また、請求項３の発明によれば、同時に２本の電線を把持することができ、上述の変圧器の２次側の口出し線と立ち上がり線との接続箇所の切断又は切り離し、作業後の再接続の場合等に２本同時に処理することが出来、作業効率が上がる。
【００２９】
また、請求項４の発明によれば、回転螺旋軸と主軸を平行に並べず、回転螺旋軸の外周に主軸の働きをする筒状体を設けているため、補助工具を小型化でき、柱上での電線の切断や切り離し、及び接続作業の場合、作業者が柱上に運びやすく、保管、輸送の際も嵩張らず、便利である。
【００３０】
また、請求項５の発明によれば、さらに、電線把持体は、溝部に電線を入れて当該溝部に対向する押圧片で、ボルトを回転させて電線を押圧する構成となっているため、電線を強固に把持することが出来る。また、このように溝に電線を嵌めて反対側から押圧するため、種々の径の電線を把持することができる。
【００３１】
また、請求項６の発明によれば、さらに、各移動駒に対する電線把持体の角度を調整することが出来るため、電線が曲線を形成している場合など、電線の角度に合わせて、電線把持体を曲げることができ、作業が容易である。また、前記移動駒で切断した電線を引き離した状態で、さらに２つの電線端を引き離したい場合は、前記角度調整手段で電線把持体を傾斜させれば、さらに前記電線端を離すことができる。
【００３２】
また、請求項７の発明によれば、さらに、角度調整手段が直交する２方向で回転、固定自在とした２軸ヒンジとなっているため、把持する電線の湾曲角度に合わせて電線把持体を曲げる角度の自由度が増し、電線の把持作業が極めて容易となる。
【００３３】
また、請求項８の発明によれば、さらに、各移動駒は主軸に対して移動自在であり、各移動駒は回転螺旋軸に螺着されているため、止めた箇所でむやみに動かない。しかしながら、各移動駒を確実に固定する必要がある場合は、ボルトの締め付けにより各移動駒を主軸に固定することができるため、切断した２つの電線を離した状態や重合させた状態をそのまま保持でき、切断、接続作業を確実に行うことが出来る。
【００３４】
また、請求項９の発明の方法によれば、前記請求項１と同様の効果を有する。さらに、電線の切断又は切り離しの際、通電状態の電線であれば接地体との接触による地絡や感電等の事故の恐れがあるが、この方法では電線の両端を当該補助工具の２つの電線把持体で把持するため、通電状態の電線が跳ねたりすることなく、接地体などへの接触が避けられより安全である。また、引き離した電線端の保持、及び引き離した電線端を再び接近させる等の作業が容易かつ迅速に行える。
【００３５】
また、電線の接続作業に際しては、充電部である芯線がむき出しの状態で接続する電線を検相するため、電線が固定されていないと他相や接地体に接触する可能性がある。この点、当該補助工具では柱上の不安定な場所での充電した電線を検相しやすい間隔で固定することができ、安全な作業性を確保できる。また、検相後はそのまま任意の位置に近づけることが出来るため、異相接続を防止することが出来る。
【図面の簡単な説明】
【００３６】
【図１】この発明の実施例１の側面図である。
【図２】この発明の実施例１の縦断面図である。
【図３】この発明の実施例１の角度調整部の断面説明図である。
【図４】この発明の実施例１の角度調整部の重合する双方の内側面図である。
【図５】この発明の実施例１の電線を把持した状態を示す側面図である。
【図６】この発明の実施例１の電線を把持した状態の縦断面図である。
【図７】この発明の実施例１の切断した２本の電線を引き離した状態を示す側面図である。
【図８】この発明の実施例１の切断した２本の電線を接近させてスリーブで接続する状態を示す側面図である。
【図９】この発明の実施例１の変形例の側面図である。
【図１０】この発明の実施例１の変形例の縦断面図である。
【図１１】この発明の実施例１の他の変形例の縦断面図である。
【図１２】この発明の実施例２の側面図である。
【図１３】この発明の実施例３の縦断面図である。
【図１４】この発明の実施例４の側面図である。
【図１５】この発明の実施例５の一部断面側面図である。
【図１６】この発明の実施例５の縦断面図である。
【発明を実施するための形態】
【００３７】
この発明は、略同じ長さの主軸と回転螺旋軸とを平行に位置させてこれらの両端を支持片で支持し、前記回転螺旋軸は前記支持片に対して回転自在とし、当該回転螺旋軸の外周には螺旋状凹凸が形成され、当該螺旋状凹凸は中央部を境に左右両側で逆方向の螺旋を形成し、前記主軸と回転螺旋軸にまたがった移動駒を前記把手部の両側にそれぞれ設け、各移動駒は一端部が前記主軸に係止され、中央部の螺旋孔に前記回転螺旋軸を螺合して通し、前記回転螺旋軸の回転により、各移動駒は当該回転螺旋軸及び主軸に沿って相互に接近又は離れるように移動し、前記各移動駒の他端部で電線把持体を支持した、電線切断・接続補助工具である。
【００３８】
この補助工具を用いることにより、電線切断作業及び電線接続作業が容易かつ確実に、また安全にできる。
【実施例１】
【００３９】
以下、この発明の実施例１を図に基づいて説明する。この発明の補助工具は、略同じ長さの主軸１と回転螺旋軸２とを平行に位置させてこれらの両端を支持片３で支持している。前記主軸１は前記支持片３に対して固定されているが、前記回転螺旋軸２は前記支持片３に対して回転自在となっている。
【００４０】
また、前記回転螺旋軸２の中央部には、やや大径となった把手部４が設けられ、この把手部４の両側の回転螺旋軸２の外周には、螺旋状凹凸５が形成され、当該螺旋状凹凸５は前記把手部４の左右両側で螺旋方向が逆となっている。
【００４１】
また、前記主軸１と回転螺旋軸２にまたがった２つの移動駒６を前記把手部４の両側にそれぞれ設けている。各移動駒６は、図２に示すように、直方体の本体６ａに、内周が前記回転螺旋軸２の螺旋状凹凸５に螺合する螺旋状凹凸を有する螺旋孔６ｂが穿ってあり、当該螺旋孔６ｂに前記回転螺旋軸２が螺合して貫通している。
【００４２】
また、前記本体６ａの下に二股脚６ｃが設けられ、当該二股脚６ｃで前記主軸１を挟持している。さらに、主軸１を挟持した二股脚６ｃには締め付けボルト７が螺着貫通している。この締付けボルト７を緩めると主軸１に対する二股脚６ｃの挟持が解け、移動駒６は主軸１に沿って摺動自在となり、締付けボルト７を締め付けると移動駒６は主軸１に固定される。
【００４３】
各移動駒６の上端部には、電線把持体８を設けており、これらの接続に角度調整手段９が用いられている。この角度調整手段９は、具体的には図２及び図３に示すように、前記移動駒６の本体６ａの上から接続片６ｄが立設しており、これと電線把持体８から垂下した支持片１０とが重合され、これらを調整ボルト１１が貫通し、貫通端でナット１２を螺着している。
【００４４】
また、図４に示すように、前記接続片６ｄと支持片１０の各内側面の前記調整ボルト１１の貫通孔の周囲には、同心円上に多数の放射歯１３と１４とが夫々設けられ、これらの放射歯１３と１４が噛み合うようになっており、これらの放射歯１３と１４の噛み合いをずらして調整ボルト１１を締め付けると、接続片６ｄと支持片１０とが適宜の角度で固定される。図１の一点鎖線は角度調整手段９により移動駒６に対して電線把持体８を傾斜させたものである。
【００４５】
また、前記電線把持体８は、図２に示すように、上部に横長の開口溝１５を有し、当該開口溝１５の一端が電線を入れる溝１５ａとなっており、当該溝１５ａに対向して押圧片１６が、開口溝１５内で摺動自在に設けられている。この押圧片１６は、電線把持体８の側部を螺着貫通した押圧ボルト１７の先端が回転自在に接続され、押圧ボルト１７を回すと、押圧片１６が開口溝１５内を摺動し、前記電線を入れる溝１５ａに対して接近したり、離れたりする。
【００４６】
次にこの補助工具を用いて、Ｃ型スリーブＳで接続された電線Ｄを切断するには、図５に示すように、Ｃ型スリーブＳの両端の電線Ｄを２つの電線把持体８で把持する。その際、作業者は、一方の手で主軸１をもち、他方の手で把手部４を持ち、把手部４を回して２つの移動駒６を回転螺旋軸２及び主軸１に沿って移動させ、２つの移動駒６の位置を決める。
【００４７】
そして、電線Ｄの電線把持体８による把持は、図６に示すように、押圧ボルト１７を予め緩めて開口溝１５の溝１５ａに電線Ｄを挿入し、押圧ボルト１７を締め付けると押圧片１６が溝１５ａに入った電線Ｄを押圧し、電線Ｄを強力に把持する。
【００４８】
この状態で、図５に示すように、作業者はカッター（図示省略）でＣ型スリーブＳの両端の電線ＤのＸ箇所を切断する。そして作業者は、図７に示すように、把手部４を回転させて２つの移動駒６を引き離す。この状態で各移動駒６の固定ボルト７を締め付けることにより、二股脚６ｃで主軸１を挟持し、各移動駒６を主軸１に固定する。その際、前記固定ボルト７は２個あるが、そのうちの１個でも良い。これにより各移動駒６はむやみに動かない。また、この状態で各電線Ｄの端部にエンドキャップ１８を被せ、絶縁する。
【００４９】
この様に電線Ｄの電路を切った状態で、電線Ｄが接続された変圧器を停止状態にして作業をすることが出来る。そして、当該作業が終了した時点で再び前記電線Ｄを接続する場合、作業者は前記各移動駒６の固定ボルト７を緩め、各移動駒６が移動できるようにし、把手部４を前記と逆に回す。これにより図８に示すように、２つの移動駒６は相互に接近し、２つの電線Ｄの先端を重合させる位置まで接近させる。この場合前記螺旋状凹凸５のピッチを細かくすることにより、Ｃ型スリーブＳ部分を切って短くなった電線Ｄを引き寄せるのに多く回転螺旋軸２を多く回転させなければならないが、力は少なくて済む。そして、各電線Ｄの端部の被覆を剥ぎ、芯線をむき出しにして、再びＣ型スリーブＳをこれらの電線Ｄ端に被せて、圧縮工具で圧縮し、接続することが出来る。なお、図８では２つの電線Ｄの芯線が前後に重なった状態である。
【００５０】
また、図示は省略するが、電線Ｄが羽子板端子により接続されている場合も、前記Ｃ型スリーブＳと同様に電線Ｄを当該電線把持体８で把持した状態で、羽子板端子のボルトを外して羽子板端子の接続を解除することが出来る。その際も、手で電線の充電部付近に触れることなく充電部から安全な離隔をもって回転力で２つの移動駒６を動かして電線端を引き離すことが出来る。また、当該電線Ｄの電路の修理等の作業が終了した際は、２つの移動駒６を動かして２つの羽子板端子が重合するように２本の電線Ｄを近接させることができる。
【００５１】
なお、上記実施例１では、各移動駒６の接続片６ｄを有する上部側である、回転螺旋軸２の側に角度調整手段９を介して電線把持体８を設けているが、図９及び図１０に示すように、主軸１側から突出した移動駒６の端部に角度調整手段９を介して電線把持体８を設けても良い。この場合、各移動駒６の貫通孔６ｅに主軸１を遊貫させて移動駒６を主軸１に係止し、一側に設けたネジ孔に固定ボルト７´を螺着し、当該固定ボルト７´の先端を主軸１に押し付けて、移動駒６を固定させるものである。他の構成は実施例１と同じである。この場合、作業者は一方の手で主軸１を掴み、他方の手で把手部４を持って回すが、前記実施例１より把手部４を持って回す作業者の手が充電部から離れ、作業がより安全に行える。
【００５２】
また、上記実施例１では、図２に示すように、主軸１、回転螺旋軸２、移動駒６及び電線把持体８が略一直線上に位置するが、図１１に示すように、移動駒６に対して電線把持体８は曲がっていても良い。この場合、把持する電線に近接した電線がある場合等、電線に沿った空間を大きく取れないときに作業スペースを小さくできる。
【実施例２】
【００５３】
図１２は、この発明の実施例２を示す。この実施例２の補助工具は前記角度調整手段１９が実施例１と異なり、他の構成は同じである。実施例２の角度調整手段１９は、いわゆる２軸ヒンジとなっている。各移動駒６の他端部の接続片６ｄと継手２０の一端とが調整ボルト１１で、前記主軸１と回転螺旋軸２とで構成される面で回転、固定自在に接続され、さらに当該継手２０の他端が、前記面に対して直交する面で、電線把持体８の支持片１０に第２調整ボルト２１で回転、固定自在に接続されている。
【００５４】
この様に、移動駒６と電線把持体８との間の角度調整手段１９が２軸ヒンジとなっているため、把持する電線の湾曲角度に合わせて電線把持体８を曲げる角度の自由度が増し、電線の把持作業が極めて容易となる。なお、この実施例２の補助工具は、前記図１１の補助工具を更に改良したものであり、電線把持体８の曲げ角度を調整できる。
【実施例３】
【００５５】
図１３はこの発明の実施例３を示す。この実施例３の補助工具は、２つの各移動駒６に夫々前記電線把持体８が２つ設けられたもので、前記支持片１０が二股に分かれた枝片２２、２２にそれぞれ電線把持体８が支持された構成である。他の構成は実施例１と同じである。
【００５６】
この実施例３の場合は、同時に２本の電線を把持することができ、上述の変圧器の２次側の口出し線と立ち上がり線との接続箇所の切断又は切り離し、作業後の再接続の場合等に２本同時に処理することが出来、作業効率が上がるものである。
【実施例４】
【００５７】
図１４はこの発明の実施例４を示す。この実施例４の補助工具は主軸１を中心として対称位置に２本の回転螺旋軸２が支持片３によって支持され、各２つの移動駒６及び２つの電線把持体８がそれぞれ設けられている。また、回転螺旋軸２の各把手部４は各回転螺旋軸２の中央部からやや外れた対称位置に設けられている。他の構成は実施例１と同じである。
【００５８】
この実施例４の場合も、前記実施例３と同様に、同時に２本の電線を把持することができ、上述の変圧器の２次側の口出し線と立ち上がり線との接続箇所の切断又は切り離し、作業後の再接続の場合等に２本同時に処理することが出来、作業効率が上がるものである。
【実施例５】
【００５９】
図１５及び図１６はこの発明の実施例５を示す。この実施例５の補助工具は、回転螺旋軸２の両端を円形の支持片２５で回転自在に支持し、前記回転螺旋軸２は略中央部に大径の把手部２６が設けられ、当該回転螺旋軸２の前記把手部２６を除く外周には螺旋状凹凸５が形成され、当該螺旋状凹凸５は前記把手部２６を境に左右両側で逆方向の螺旋を形成している。
【００６０】
当該回転螺旋軸２の左右両側の螺旋状凹凸５は、前記両側の支持片２５に各一端を支持された筒状体２７によって夫々被われ、各筒状体２７の他端は、前記把手部２６の両端の環状段部２６ａに当接している。ただ、この当接は、把手部２６は筒状体２７の端部と当接しているが回転自在となっている。また、各筒状体２７の一側には長孔２８が設けられている。また、前記回転螺旋軸２の両側の螺旋状凹凸５には、その一端の螺孔を螺合させ、その他端を前記長孔２８を通して筒状体２７の外方に突出させた移動駒６が夫々設けられている。
【００６１】
また、前記各移動駒６の、前記筒状体２７の外方に突出した他端には、実施例１と同じ電線把持体８が角度調整手段９を介して設けられている。さらに、前記把手部２６の両端の環状段部２６ａ外周に当接した筒状体２７の端部には固定ボルト２９が夫々螺着され、当該固定ボルト２９は対向する環状段部２６ａをその先端で押圧することにより、把手部２６の回転を阻止できる構成となっている。なお、当該固定ボルト２９は２個設けているが、１個でもよい。
【００６２】
そして、作業者が一方の手で筒状体２７を持ち、他方の手で前記把手部２６を持って回すと、回転螺旋軸２の回転により、各移動駒６は当該回転螺旋軸２に沿って相互に接近又は離れるように移動する構成となっている。なお、前記筒状体２７は断面円形に限らず、断面矩形、断面多角形の角筒、その他の断面形状の筒状態を含む。
【００６３】
この実施例５の場合、前記実施例１〜４の補助工具より、小型化でき、柱上での電線の切断や切り離し、及び接続作業の場合、作業者が柱上に運びやすく、保管、輸送の際も嵩張らず、便利である。
【００６４】
なお、前記各実施例では、回転螺旋軸２はその外周に螺旋状凹凸５を設けたものであるが、螺旋状凹凸にはネジも含むものである。また、前記各実施例では、移動駒６の二股脚６ｃで主軸１を把持して主軸１に移動駒６を固定しているが、これに限らず、移動駒６の一端に貫通孔を設け、この貫通孔に主軸を通し、当該貫通孔に達するネジ穴にボルトをねじ込み、当該ボルト先端で主軸１を押圧して、移動駒６を固定する方法等、種々の方法がある。
【符号の説明】
【００６５】
１      主軸                        ２      回転螺旋軸
３      支持片                      ４      把手部
５      螺旋状凹凸                  ６      移動駒
６ａ    本体                        ６ｂ    螺旋孔
６ｃ    二股脚                      ６ｄ    接続片
６ｅ    貫通孔                      ７      固定ボルト
７´    固定ボルト                  ８      電線把持体
９      角度調整手段                １０    支持片
１１    調整ボルト                  １２    ナット
１３    放射歯                      １４    放射歯
１５    開口溝                      １５ａ  溝
１６    押圧片                      １７    押圧ボルト
１８    エンドキャップ              １９    角度調整手段
２０    継手                        ２１    第２調整ボルト
２２    枝片                        ２５    支持片
２６    把手部                      ２６ａ  環状段部
２７    筒状体                      ２８    長孔
２９    固定ボルト        
【図１】
0005897927.tif 000002
【図２】
0005897927.tif 000003
【図３】
0005897927.tif 000004
【図４】
0005897927.tif 000005
【図５】
0005897927.tif 000006
【図６】
0005897927.tif 000007
【図７】
0005897927.tif 000008
【図８】
0005897927.tif 000009
【図９】
0005897927.tif 000010
【図１０】
0005897927.tif 000011
【図１１】
0005897927.tif 000012
【図１２】
0005897927.tif 000013
【図１３】
0005897927.tif 000014
【図１４】
0005897927.tif 000015
【図１５】
0005897927.tif 000016
【図１６】
0005897927.tif 000017